【手続補正書】
【提出日】平成23年4月19日(2011.4.19)
【手続補正１】
【補正対象書類名】特許請求の範囲
【補正対象項目名】全文
【補正方法】変更
【補正の内容】
【特許請求の範囲】
【請求項１】
フローサイトメータを遠隔監視する方法であって、
ａ）複数の分析粒子における少なくとも１つの粒子特性の発生における変化に基づいて変動する該フローサイトメータからの信号を生成するステップと、
ｂ）該信号を、該複数の分析粒子における該少なくとも１つの粒子特性の発生における変化の閲覧可能データ表現に連続的に変換するように、該フローサイトメータに連結された第１のコンピュータで該信号を分析するステップと、
ｃ）該少なくとも１つのフローサイトメータからの該信号の分析において、ある量の遅延を生成することなく、該第１のコンピュータで、連続して、該複数の分析粒子の該少なくとも１つの粒子特性の発生における変化の該閲覧可能データ表現の複数の時間制限データ表現ファイルを、第２のコンピュータに供給するステップと、
ｄ）第１の複数の低減バイトデータ表現ファイルを対応して生成するように、該供給された複数の時間制限データ表現ファイルを、該第２のコンピュータで処理するステップと、
ｅ）該第１の複数の低減バイトデータ表現ファイルの対応するファイルより少ないバイトをそれぞれが有する、第２の複数の低減バイトデータ表現ファイルを生成するように、該提供された複数の時間制限データ表現ファイルを、該第２のコンピュータで処理するステップと、
ｆ）該第２のコンピュータで、該第２の複数の低減バイトデータ表現ファイルの要求された部分を、第３のコンピュータに供給するステップと、
ｇ）該複数の分析粒子の該少なくとも１つの粒子特性の発生における変化の閲覧可能低減バイトデータ表現を提供するように、該第３のコンピュータで、連続して、該第２の複数の低減バイトデータ表現ファイルの該部分のそれぞれを表示するステップと
を含む、方法。
【請求項２】
前記少なくとも１つのフローサイトメータからの前記信号の分析において、ある量の遅延を生成することなく、前記第１のコンピュータで、連続して、前記複数の分析粒子の前記少なくとも１つの粒子特性の発生における変化の前記閲覧可能データ表現の複数の時間制限データ表現ファイルを、第２のコンピュータに供給するステップは、該少なくとも１つのフローサイトメータからの該信号の分析において、ある量の遅延を低減するかまたは回避するように、該第１のコンピュータで、連続して、該複数の分析粒子の該少なくとも１つの粒子特性の発生における変化の該閲覧可能データ表現の複数の時間制限データ表現ファイルを、第２のコンピュータに供給するステップを含む、請求項１に記載のフローサイトメータを遠隔監視する方法。
【請求項３】
複数の分析粒子における少なくとも１つの粒子特性の発生における変化に基づき変動する前記フローサイトメータからの信号を生成するステップは、複数の分析粒子のそれぞれに含有されるデオキシリボ核酸の量に基づき変動する該フローサイトメータからの信号を生成するステップを含む、請求項１に記載のフローサイトメータを遠隔監視する方法。
【請求項４】
複数の分析粒子のそれぞれに含有されるデオキシリボ核酸の量に基づき変動する、前記フローサイトメータからの信号を生成するステップは、複数の精細胞の各々の細胞におけるＸ染色体またはＹ染色体の有無に基づき変動する、前記フローサイトメータからの信号を生成するステップを含む、請求項３に記載のフローサイトメータを遠隔監視する方法。
【請求項５】
前記閲覧可能データ表現は、Ｘ染色体保有精細胞またはＹ染色体保有精細胞の複数の分析粒子内の発生に基づき変動する、少なくとも１つのヒストグラムを含む、請求項４に記載のフローサイトメータを遠隔監視する方法。
【請求項６】
前記複数の分析粒子の前記少なくとも１つの粒子特性の発生における変化の前記閲覧可能データ表現の前記複数の時間制限データ表現ファイルは、前記複数の分析粒子の前記少なくとも１つの粒子特性の発生における変化の前記閲覧可能データ表現の複数のビットマップイメージ表現を含む、請求項１に記載のフローサイトメータを遠隔監視する方法。
【請求項７】
前記複数のビットマップ表現のそれぞれは、約３メガバイトから約６メガバイトのイメージファイルを含む、請求項６に記載のフローサイトメータを遠隔監視する方法。
【請求項８】
前記第１の複数の低減バイトデータ表現ファイルは、それぞれ約１００キロバイトから約２００キロバイトである第１の複数のイメージファイルを含む、請求項１に記載のフローサイトメータを遠隔監視する方法。
【請求項９】
前記第１の複数の低減バイトデータ表現ファイルの対応するファイルより少ないバイトをそれぞれ有する、前記第２の複数の低減バイトデータ表現ファイルは、それぞれ約２キロバイトから約４キロバイトである第２の複数のイメージファイルを含む、請求項８に記載のフローサイトメータを遠隔監視する方法。
【請求項１０】
前記第２のコンピュータで、前記第２の複数の低減バイトデータ表現ファイルの要求された部分を、第３のコンピュータに供給する前記ステップは、前記第２の複数の低減バイトデータ表現ファイルを、広域ネットワーク上で第３のコンピュータに供給するステップを含む、請求項９に記載のフローサイトメータを遠隔監視する方法。
【請求項１１】
前記第３のコンピュータで、連続して、前記第２の複数の低減バイトデータ表現ファイルの前記部分のそれぞれを表示する前記ステップは、前記複数の分析粒子の前記少なくとも１つの粒子特性の発生における変化の前記閲覧可能低減バイトデータ表現を閲覧するための速度を選択するステップをさらに含む、請求項１０に記載のフローサイトメータを遠隔監視する方法。
【請求項１２】
前記複数の分析粒子の前記少なくとも１つの粒子特性の発生における変化の加速されたまたは減速された閲覧可能低減バイトデータ表現を提供するように、前記第３のコンピュータで、連続して、前記第２の複数の低減バイトデータ表現ファイルの前記部分のそれぞれを表示するステップをさらに含む、請求項１１に記載のフローサイトメータを遠隔監視する方法。
【請求項１３】
前記第２の複数の低減バイトデータ表現ファイルの前記部分を、前記第３のコンピュータで表示するように選択するステップをさらに含む、請求項１１に記載のフローサイトメータを遠隔監視する方法。
【請求項１４】
前記第２の複数の低減バイトデータ表現ファイルの前記部分を、前記第３のコンピュータで表示するように選択する前記ステップは、前記閲覧可能データ表現の第１の時点と第２の時点との間に生成される、前記第２の複数の低減バイトデータ表現ファイルの時間制限部分を選択するステップをさらに含む、請求項１３に記載のフローサイトメータを遠隔監視する方法。
【請求項１５】
それぞれが対応して複数の前記フローサイトメータのうちの１つと連結された複数の前記第１のコンピュータに接続された前記第２のコンピュータを、第１のローカルエリアネットワークを有する第１の場所において確立するステップをさらに含み、前記第２のコンピュータは、前記複数の前記第１のコンピュータのそれぞれにより供給される前記複数の時間制限データ表現ファイルに対応する、前記第１の複数の低減バイトデータ表現ファイルおよび前記第２の複数の低減バイトデータ表現ファイルの検索可能な記憶を可能にする、メモリ要素をさらに提供する、請求項１に記載のフローサイトメータを遠隔監視する方法。
【請求項１６】
複数の場所において、それぞれが対応して複数の前記フローサイトメータのうちの１つと連結された前記複数の第１のコンピュータに接続された前記第２のコンピュータをそれぞれ備える、対応する複数のローカルエリアネットワークを確立するステップをさらに含み、前記第２のコンピュータは、前記複数の前記第１のコンピュータのそれぞれにより供給される前記複数の時間制限データ表現ファイルに対応する、前記第１の複数の低減バイトデータ表現ファイルおよび前記第２の複数の低減バイトデータ表現ファイルの検索可能な記憶を可能にする、メモリ要素をさらに提供する、請求項１５に記載のフローサイトメータを遠隔監視する方法。
【請求項１７】
複数の場所において、前記複数のローカルエリアネットワークを含む広域ネットワークを提供するステップをさらに含み、前記第１のネットワークは、前記第３のコンピュータを含む、請求項１６に記載のフローサイトメータを遠隔監視する方法。
【請求項１８】
前記複数のローカルエリアネットワークの前記第１のローカルエリアネットワークまたは第２のローカルエリアネットワークの前記複数の第１のコンピュータのうちの１つにより供給される前記複数の時間制限データ表現ファイルに対応する、前記第２の複数の低減バイトデータ表現ファイルの一部を、前記広域ネットワーク上で選択的に検索するステップをさらに含む、請求項１７に記載のフローサイトメータを遠隔監視する方法。
【請求項１９】
前記複数の分析粒子の前記少なくとも１つの粒子特性の発生における変化の閲覧可能低減バイトデータ表現を提供するように、前記第３のコンピュータで、連続して、前記第２の複数の低減バイトデータ表現ファイルの前記部分のそれぞれを表示する前記ステップは、それぞれ選択可能に検索された、前記複数のローカルエリアネットワークの第２のローカルエリアネットワークの前記複数の第１のコンピュータのうちの１つにより供給される前記複数の時間制限データ表現ファイルに対応する前記第２の複数の低減バイトデータ表現ファイルの前記一部を、同時に表示するステップを含む、請求項１８に記載のフローサイトメータを遠隔監視する方法。
【請求項２０】
遠隔監視フローサイトメータであって、
ａ）複数の分析粒子における少なくとも１つの粒子特性の発生における変化に基づき変動する信号を生成するフローサイトメータと、
ｂ）前記フローサイトメータに連結された第１のコンピュータであって、前記第１のコンピュータは、前記フローサイトメータにより生成された前記信号を、前記複数の分析粒子における前記少なくとも１つの粒子特性の発生における変化の閲覧可能データ表現に連続的に変換する、信号分析器を提供し、前記第１のコンピュータはさらに、前記少なくとも１つのフローサイトメータにより生成された前記信号の分析において、ある量の遅延を生成することなく、前記複数の分析粒子の前記少なくとも１つの粒子特性の発生における変化の前記閲覧可能データ表現の複数の時間制限データ表現ファイルを生成する、イメージ表現生成器を提供する、第１のコンピュータと、
ｃ）前記第１のコンピュータから供給される前記複数の時間制限データ表現ファイルの第１の複数の低減バイトデータ表現ファイルを対応して生成する、イメージプロセッサを提供する、前記第１のコンピュータに結合された第２のコンピュータであって、前記イメージプロセッサはさらに、前記第１の複数の低減バイトデータ表現ファイルの対応するファイルより少ないバイトをそれぞれ有する、前記第１のコンピュータから供給される前記複数の時間制限データ表現ファイルの第２の複数の低減バイトデータ表現ファイルを生成する、第２のコンピュータと、
ｄ）前記第２のコンピュータに対する前記第２の複数の低減バイトデータ表現ファイルの選択された部分の要求を生成する、低減バイトデータ表現選択要素を提供する、第３のコンピュータであって、前記第３のコンピュータはさらに、前記複数の分析粒子の前記少なくとも１つの粒子特性の発生における変化の閲覧可能低減バイトデータ表現を提供するように、連続して前記第２の複数の低減バイトデータ表現ファイルの前記選択された部分を表示する、イメージ生成器を提供する、第３のコンピュータと
を備える、フローサイトメータ。
【請求項２１】
前記フローサイトメータからの前記信号は、前記複数の分析粒子のそれぞれに含有されるデオキシリボ核酸の量に基づき変動する、請求項２０に記載の遠隔監視フローサイトメータ。
【請求項２２】
前記フローサイトメータからの前記信号は、複数の精細胞の各々におけるＸ染色体またはＹ染色体の有無に基づき変動する、請求項２１に記載の遠隔監視フローサイトメータ。
【請求項２３】
前記閲覧可能データ表現は、Ｘ染色体保有精細胞またはＹ染色体保有細胞の前記複数の分席粒子における発生に基づき変動する、少なくとも１つのヒストグラムを含む、請求項２２に記載の遠隔監視フローサイトメータ。
【請求項２４】
前記複数の分析粒子の前記少なくとも１つの粒子特性の発生における変化の前記閲覧可能データ表現の前記複数の時間制限データ表現ファイルは、前記複数の分析粒子の前記少なくとも１つの粒子特性の発生における変化の前記閲覧可能データ表現の複数のビットマップイメージ表現を含む、請求項２０に記載の遠隔監視フローサイトメータ。
【請求項２５】
前記複数のビットマップ表現のそれぞれは、約３メガバイトから約６メガバイトのイメージファイルを含む、請求項２４に記載の遠隔監視フローサイトメータ。
【請求項２６】
前記第１の複数の低減バイトデータ表現ファイルは、それぞれ約１００キロバイトから約２００キロバイトである第１の複数のイメージファイルを含む、請求項２５に記載の遠隔監視フローサイトメータ。
【請求項２７】
前記第１の複数の低減バイトデータ表現ファイルの対応するファイルより少ないバイトをそれぞれ有する、前記第２の複数の低減バイトデータ表現ファイルは、それぞれ約２キロバイトから約４キロバイトである第２の複数のイメージファイルを含む、請求項２６に記載の遠隔監視フローサイトメータ。
【請求項２８】
その上で第３のコンピュータが前記第２のコンピュータに対する前記第２の複数の低減バイトデータ表現ファイルの選択された部分の要求を生成する、広域ネットワークをさらに備える、請求項２７に記載の遠隔監視フローサイトメータ。
【請求項２９】
前記第３のコンピュータは、前記複数の分析粒子の前記少なくとも１つの粒子特性の発生における変化の前記閲覧可能低減バイトデータ表現を閲覧するための速度の選択を可能にする、前記イメージ生成器に連結された閲覧速度セレクタをさらに備える、請求項２８に記載の遠隔監視フローサイトメータ。
【請求項３０】
前記閲覧速度セレクタは、前記複数の分析粒子の前記少なくとも１つの粒子特性の発生における変化の加速されたまたは減速された閲覧可能低減バイトデータ表現の選択をさらに可能にする、請求項２９に記載の遠隔監視フローサイトメータ。
【請求項３１】
前記低減バイトデータ表現選択要素は、前記閲覧可能データ表現の第１の時点と第２の時点との間で生成された前記第２の複数の低減バイトデータ表現ファイルの時間制限部分の選択を可能にする、期間選択要素をさらに含む、請求項３０に記載の遠隔監視フローサイトメータ。
【請求項３２】
前記第１のコンピュータは、ローカルエリアネットワークにおける前記第２のコンピュータに結合する、請求項２０に記載の遠隔監視フローサイトメータ。
【請求項３３】
前記第１のコンピュータは、それぞれ複数のフローサイトメータのうちの１つに対応して連結された、複数の第１のコンピュータを含む、請求項３２に記載の遠隔監視フローサイトメータ。
【請求項３４】
前記イメージ生成器はさらに、前記複数のフローサイトメータのそれぞれ１つに対する前記複数の分析粒子の前記少なくとも１つの粒子特性の発生における変化の閲覧可能低減バイトデータ表現を提供するように、連続して前記第２の複数の低減バイトデータ表現ファイルの複数の前記選択された部分の同時表示を可能にする、同時イメージ表示要素を提供する、請求項３３に記載の遠隔監視フローサイトメータ。
【請求項３５】
前記第３のコンピュータは、広域ネットワーク上で前記ローカルエリアネットワークに結合する、請求項３４に記載の遠隔監視フローサイトメータ。
【請求項３６】
前記広域ネットワークは、インターネットを含む、請求項３５に記載の遠隔監視フローサイトメータ。
【手続補正２】
【補正対象書類名】明細書
【補正対象項目名】００１８
【補正方法】変更
【補正の内容】
【００１８】
当然ながら、本発明のさらなる目的は、明細書、図面、写真、および特許請求の範囲の別の領域にわたり開示される。
例えば、本発明は以下の項目を提供する。
（項目１）
フローサイトメータを遠隔監視する方法であって、
ａ）複数の分析粒子の少なくとも１つの粒子特性の変化に基づいて変動する該フローサイトメータからの信号を生成するステップと、
ｂ）該信号を、該複数の分析粒子の該少なくとも１つの粒子特性の変化の閲覧可能データ表現に連続的に変換するように、該フローサイトメータに連結された第１のコンピュータで該信号を分析するステップと、
ｃ）該少なくとも１つのフローサイトメータからの該信号の分析において、ある量の遅延を生成することなく、該第１のコンピュータで、連続して、該複数の分析粒子の該少なくとも１つの粒子特性の変化の該閲覧可能データ表現の複数の時間制限データ表現ファイルを、第２のコンピュータに供給するステップと、
ｄ）第１の複数の低減バイトデータ表現ファイルを対応して生成するように、該供給された複数の時間制限データ表現ファイルを、該第２のコンピュータで処理するステップと、
ｅ）該第１の複数の低減バイトデータ表現ファイルの対応するファイルより少ないバイトをそれぞれが有する、第２の複数の低減バイトデータ表現ファイルを生成するように、該提供された複数の時間制限データ表現ファイルを、該第２のコンピュータで処理するステップと、
ｆ）該第２のコンピュータで、該第２の複数の低減バイトデータ表現ファイルの要求された部分を、第３のコンピュータに供給するステップと、
ｇ）該複数の分析粒子の該少なくとも１つの粒子特性の変化の閲覧可能低減バイトデータ表現を提供するように、該第３のコンピュータで、連続して、該第２の複数の低減バイトデータ表現ファイルの該部分のそれぞれを表示するステップと
を含む、方法。
（項目２）
上記少なくとも１つのフローサイトメータからの上記信号の分析において、ある量の遅延を生成することなく、上記第１のコンピュータで、連続して、上記複数の分析粒子の上記少なくとも１つの粒子特性の変化の上記閲覧可能データ表現の複数の時間制限データ表現ファイルを、第２のコンピュータに供給するステップは、該少なくとも１つのフローサイトメータからの該信号の分析において、ある量の遅延を回避するように、該第１のコンピュータで、連続して、該複数の分析粒子の該少なくとも１つの粒子特性の変化の該閲覧可能データ表現の複数の時間制限データ表現ファイルを、第２のコンピュータに供給するステップを含む、項目１に記載のフローサイトメータを遠隔監視する方法。
（項目３）
上記少なくとも１つのフローサイトメータからの上記信号の分析において、ある量の遅延を生成することなく、上記第１のコンピュータで、連続して、上記複数の分析粒子の上記少なくとも１つの粒子特性の変化の上記閲覧可能データ表現の複数の時間制限データ表現ファイルを、第２のコンピュータに供給するステップは、該少なくとも１つのフローサイトメータからの該信号の分析において、ある量の遅延を低減するように、該第１のコンピュータで、連続して、該複数の分析粒子の該少なくとも１つの粒子特性の変化の該閲覧可能データ表現の複数の時間制限データ表現ファイルを、第２のコンピュータに供給するステップを含む、項目１に記載のフローサイトメータを遠隔監視する方法。
（項目４）
複数の分析粒子の少なくとも１つの粒子特性の変化に基づき変動する上記フローサイトメータからの信号を生成するステップは、複数の分析粒子のそれぞれに含有されるデオキシリボ核酸の量に基づき変動する該フローサイトメータからの信号を生成するステップを含む、項目１に記載のフローサイトメータを遠隔監視する方法。
（項目５）
複数の分析粒子のそれぞれに含有されるデオキシリボ核酸の量に基づき変動する、上記フローサイトメータからの信号を生成するステップは、Ｘ染色体の有無に基づき変動する、上記フローサイトメータからの信号を生成するステップを含む、項目４に記載のフローサイトメータを遠隔監視する方法。
（項目６）
複数の分析粒子のそれぞれにおけるデオキシリボ核酸の量に基き変動する、少なくとも１つのフローサイトメータからの信号を生成するステップは、Ｙ染色体の有無に基づき変動する信号を生成するステップを含む、項目５に記載のフローサイトメータを遠隔監視する方法。
（項目７）
上記複数の分析粒子は、複数の精細胞を含む、項目６に記載のフローサイトメータを遠隔監視する方法。
（項目８）
上記閲覧可能データ表現は、上記複数の精細胞内のＸ染色体保有精細胞の頻度に基づき変動する、少なくとも１つのヒストグラムを含む、項目７に記載のフローサイトメータを遠隔監視する方法。
（項目９）
上記閲覧可能データ表現は、上記複数の精細胞内のＹ染色体保有精細胞の頻度に基づき変動する、少なくとも１つのヒストグラムを含む、項目７に記載のフローサイトメータを遠隔監視する方法。
（項目１０）
ウシ、ヒツジ、ウマ、シカ、イヌ、ネコ、ブタ、齧歯類、クジラ、イルカ、ウサギ、ゾウ、サイ、および霊長類から成る群より選択される雄哺乳動物から、上記複数の精細胞を得るステップをさらに含む、項目７に記載のフローサイトメータを遠隔監視する方法。
（項目１１）
上記複数の分析粒子の上記少なくとも１つの粒子特性の変化の上記閲覧可能データ表現の上記複数の時間制限データ表現ファイルは、上記複数の分析粒子の上記少なくとも１つの粒子特性の変化の上記閲覧可能データ表現の複数のビットマップイメージ表現を含む、項目１に記載のフローサイトメータを遠隔監視する方法。
（項目１２）
上記複数のビットマップ表現のそれぞれは、約３メガバイトから約６メガバイトのイメージファイルを含む、項目１１に記載のフローサイトメータを遠隔監視する方法。
（項目１３）
上記第１の複数の低減バイトデータ表現ファイルは、それぞれ約１００キロバイトから約２００キロバイトである第１の複数のイメージファイルを含む、項目１に記載のフローサイトメータを遠隔監視する方法。
（項目１４）
上記第１の複数の低減バイトデータ表現ファイルの対応するファイルより少ないバイトをそれぞれ有する、上記第２の複数の低減バイトデータ表現ファイルは、それぞれ約２キロバイトから約４キロバイトである第２の複数のイメージファイルを含む、項目１３に記載のフローサイトメータを遠隔監視する方法。
（項目１５）
上記第２のコンピュータで、上記第２の複数の低減バイトデータ表現ファイルの要求された部分を、第３のコンピュータに供給する上記ステップは、上記第２の複数の低減バイトデータ表現ファイルを、広域ネットワーク上で第３のコンピュータに供給するステップを含む、項目１４に記載のフローサイトメータを遠隔監視する方法。
（項目１６）
上記第３のコンピュータで、連続して、上記第２の複数の低減バイトデータ表現ファイルの上記部分のそれぞれを表示する上記ステップは、上記複数の分析粒子の上記少なくとも１つの粒子特性の変化の上記閲覧可能低減バイトデータ表現を閲覧するための速度を選択するステップをさらに含む、項目１５に記載のフローサイトメータを遠隔監視する方法。
（項目１７）
上記複数の分析粒子の上記少なくとも１つの粒子特性の変化の加速された閲覧可能低減バイトデータ表現を提供するように、上記第３のコンピュータで、連続して、上記第２の複数の低減バイトデータ表現ファイルの上記部分のそれぞれを表示するステップをさらに含む、項目１６に記載のフローサイトメータを遠隔監視する方法。
（項目１８）
上記複数の分析粒子の上記少なくとも１つの粒子特性の変化の減速された閲覧可能低減バイトデータ表現を提供するように、上記第３のコンピュータで、連続して、上記第２の複数の低減バイトデータ表現ファイルの上記部分のそれぞれを表示するステップをさらに含む、項目１８に記載のフローサイトメータを遠隔監視する方法。
（項目１９）
上記第２の複数の低減バイトデータ表現ファイルの上記部分を、上記第３のコンピュータで表示するように選択するステップをさらに含む、項目１６に記載のフローサイトメータを遠隔監視する方法。
（項目２０）
上記第２の複数の低減バイトデータ表現ファイルの上記部分を、上記第３のコンピュータで表示するように選択する上記ステップは、上記閲覧可能データ表現の第１の時点と第２の時点との間に生成される、上記第２の複数の低減バイトデータ表現ファイルの時間制限部分を選択するステップをさらに含む、項目１９に記載のフローサイトメータを遠隔監視する方法。
（項目２１）
それぞれが対応して複数の上記フローサイトメータのうちの１つと連結された複数の上記第１のコンピュータに接続された上記第２のコンピュータを備える、第１のローカルエリアネットワークを有する第１の場所を確立するステップをさらに含み、上記第２のコンピュータは、上記複数の上記第１のコンピュータのそれぞれにより供給される上記複数の時間制限データ表現ファイルに対応する、上記第１の複数の低減バイトデータ表現ファイルおよび上記第２の複数の低減バイトデータ表現ファイルの検索可能な記憶を可能にする、メモリ要素をさらに提供する、項目１に記載のフローサイトメータを遠隔監視する方法。
（項目２２）
複数の場所において、それぞれが対応して複数の上記フローサイトメータのうちの１つと連結された複数の上記第１のコンピュータに接続された上記第２のコンピュータをそれぞれ備える、対応する複数のローカルエリアネットワークを確立するステップをさらに含み、上記第２のコンピュータは、上記複数の上記第１のコンピュータのそれぞれにより供給される上記複数の時間制限データ表現ファイルに対応する、上記第１の複数の低減バイトデータ表現ファイルおよび上記第２の複数の低減バイトデータ表現ファイルの検索可能な記憶を可能にする、メモリ要素をさらに提供する、項目２１に記載のフローサイトメータを遠隔監視する方法。
（項目２３）
上記第１のローカルエリアネットワークは、上記第３のコンピュータをさらに含む、項目２１に記載のフローサイトメータを遠隔監視する方法。
（項目２４）
上記第１のローカルエリアネットワークおよび上記第３のコンピュータを含む広域ネットワークを提供するステップをさらに含む、項目２２に記載のフローサイトメータを遠隔監視する方法。
（項目２５）
上記複数のローカルエリアネットワークおよび上記第３のコンピュータのそれぞれを含む広域ネットワークを提供するステップをさらに含む、項目２２に記載のフローサイトメータを遠隔監視する方法。
（項目２６）
上記第１のローカルエリアネットワークの上記複数の第１のコンピュータのうちの１つにより供給される上記複数の時間制限データ表現ファイルに対応する、上記第２の複数の低減バイトデータ表現ファイルの一部を、上記広域ネットワーク上で選択的に検索するステップをさらに含む、項目２５に記載のフローサイトメータを遠隔監視する方法。
（項目２７）
上記第２のローカルエリアネットワークの上記複数の第１のコンピュータのうちの１つにより供給される上記複数の時間制限データ表現ファイルに対応する、上記第２の複数の低減バイトデータ表現ファイルの一部を、上記広域ネットワーク上で選択的に検索するステップをさらに含む、項目２６に記載のフローサイトメータを遠隔監視する方法。
（項目２８）
上記複数の分析粒子の上記少なくとも１つの粒子特性の変化の閲覧可能低減バイトデータ表現を提供するように、上記第３のコンピュータで、連続して、上記第２の複数の低減バイトデータ表現ファイルの上記部分のそれぞれを表示する上記ステップは、それぞれ選択可能に検索された、上記第２のローカルエリアネットワークの上記複数の第１のコンピュータのうちの１つにより供給される上記複数の時間制限データ表現ファイルに対応する上記第２の複数の低減バイトデータ表現ファイルの上記一部を、同時に表示するステップを含む、項目２７に記載のフローサイトメータを遠隔監視する方法。
（項目２９）
遠隔監視フローサイトメータであって、
ａ）少なくとも１つの粒子特性の変化に基づき変動する信号を生成するフローサイトメータと、
ｂ）上記フローサイトメータに連結された第１のコンピュータであって、上記第１のコンピュータは、上記フローサイトメータにより生成された上記信号を、上記複数の分析粒子の上記少なくとも１つの粒子特性の変化の閲覧可能データ表現に連続的に変換する、信号分析器を提供し、上記第１のコンピュータはさらに、上記少なくとも１つのフローサイトメータからの上記信号の分析において、ある量の遅延を生成することなく、上記複数の分析粒子の上記少なくとも１つの粒子特性の変化の上記閲覧可能データ表現の複数の時間制限データ表現ファイルを生成する、イメージ表現生成器を提供する、第１のコンピュータと、
ｃ）上記第１のコンピュータから供給される上記複数の時間制限データ表現ファイルの第１の複数の低減バイトデータ表現ファイルを対応して生成する、イメージプロセッサを提供する、上記第１のコンピュータに結合された第２のコンピュータであって、上記イメージプロセッサはさらに、上記第１の複数の低減バイトデータ表現ファイルの対応するファイルより少ないバイトをそれぞれ有する、上記第１のコンピュータから供給される上記複数の時間制限データ表現ファイルの第２の複数の低減バイトデータ表現ファイルを生成する、第２のコンピュータと、
ｄ）上記第２のコンピュータに対する上記第２の複数の低減バイトデータ表現ファイルの選択された部分の要求を生成する、低減バイトデータ表現選択要素を提供する、第３のコンピュータであって、上記第３のコンピュータはさらに、上記複数の分析粒子の上記少なくとも１つの粒子特性の変化の閲覧可能低減バイトデータ表現を提供するように、連続して上記第２の複数の低減バイトデータ表現ファイルの上記選択された部分を表示する、イメージ生成器を提供する、第３のコンピュータと
を備える、フローサイトメータ。
（項目３０）
上記フローサイトメータからの上記信号は、複数の分析粒子のそれぞれに含有されるデオキシリボ核酸の量に基づき変動する、項目２９に記載の遠隔監視フローサイトメータ。
（項目３１）
上記信号は、Ｘ染色体の有無に基づき変動する、項目３０に記載の遠隔監視フローサイトメータ。
（項目３２）
上記信号は、Ｙ染色体の有無に基づき変動する、項目３０に記載の遠隔監視フローサイトメータ。
（項目３３）
上記閲覧可能データ表現は、上記複数の精細胞内のＸ染色体保有精細胞の頻度に基づき変動する、少なくとも１つのヒストグラムを含む、項目３１に記載の遠隔監視フローサイトメータ。
（項目３４）
上記閲覧可能データ表現は、上記複数の精細胞内のＹ染色体保有精細胞の頻度に基づき変動する、少なくとも１つのヒストグラムを含む、項目３３に記載の遠隔監視フローサイトメータ。
（項目３５）
上記複数の精細胞は、ウシ、ヒツジ、ウマ、シカ、イヌ、ネコ、ブタ、齧歯類、クジラ、イルカ、ウサギ、ゾウ、サイ、および霊長類から成る群より選択される雄哺乳動物から得られる、項目３４に記載の遠隔監視フローサイトメータ。
（項目３６）
上記複数の分析粒子の上記少なくとも１つの粒子特性の変化の上記閲覧可能データ表現の上記複数の時間制限データ表現ファイルは、上記複数の分析粒子の上記少なくとも１つの粒子特性の変化の上記閲覧可能データ表現の複数のビットマップイメージ表現を含む、項目２９に記載の遠隔監視フローサイトメータ。
（項目３７）
上記複数のビットマップ表現のそれぞれは、約３メガバイトから約６メガバイトのイメージファイルを含む、項目３６に記載の遠隔監視フローサイトメータ。
（項目３８）
上記第１の複数の低減バイトデータ表現ファイルは、それぞれ約１００キロバイトから約２００キロバイトである第１の複数のイメージファイルを含む、項目３７に記載の遠隔監視フローサイトメータ。
（項目３９）
上記第１の複数の低減バイトデータ表現ファイルの対応するファイルより少ないバイトをそれぞれ有する、上記第２の複数の低減バイトデータ表現ファイルは、それぞれ約２キロバイトから約４キロバイトである第２の複数のイメージファイルを含む、項目３８に記載の遠隔監視フローサイトメータ。
（項目４０）
その上で第３のコンピュータが上記第２のコンピュータに対する上記第２の複数の低減バイトデータ表現ファイルの選択された部分の要求を生成する、広域ネットワークをさらに備える、項目３９に記載の遠隔監視フローサイトメータ。
（項目４１）
上記第３のコンピュータは、上記複数の分析粒子の上記少なくとも１つの粒子特性の変化の上記閲覧可能低減バイトデータ表現を閲覧するための速度の選択を可能にする、上記イメージ生成器に連結された閲覧速度セレクタをさらに備える、項目４０に記載の遠隔監視フローサイトメータ。
（項目４２）
上記閲覧速度セレクタは、上記複数の分析粒子の上記少なくとも１つの粒子特性の変化の加速された閲覧可能低減バイトデータ表現の選択を可能にする、項目４１に記載の遠隔監視フローサイトメータ。
（項目４３）
上記閲覧速度セレクタは、上記複数の分析粒子の上記少なくとも１つの粒子特性の変化の減速された閲覧可能低減バイトデータ表現の選択を可能にする、項目４２に記載の遠隔監視フローサイトメータ。
（項目４４）
上記低減バイトデータ表現選択要素は、上記閲覧可能データ表現の第１の時点と第２の時点との間で生成された上記第２の複数の低減バイトデータ表現ファイルの時間制限部分の選択を可能にする、期間選択要素をさらに含む、項目４３に記載の遠隔で監視さえるフローサイトメータ。
（項目４５）
上記第１のコンピュータは、ローカルエリアネットワークにおける上記第２のコンピュータに結合する、項目２９に記載の遠隔監視フローサイトメータ。
（項目４６）
上記第１のコンピュータは、それぞれ複数のフローサイトメータのうちの１つに対応して連結された、複数の第１のコンピュータを含む、項目４５に記載の遠隔監視フローサイトメータ。
（項目４７）
上記イメージ生成器はさらに、上記複数のフローサイトメータのそれぞれに対する上記複数の分析粒子の上記少なくとも１つの粒子特性の変化の閲覧可能低減バイトデータ表現を提供するように、連続して上記第２の複数の低減バイトデータ表現ファイルの複数の上記選択された部分の同時表示を可能にする、同時イメージ表示要素を提供する、項目４６に記載の遠隔監視フローサイトメータ。
（項目４８）
上記ローカルエリアネットワークは、上記第３のコンピュータをさらに含む、項目４７に記載の遠隔監視フローサイトメータ。
（項目４９）
上記第３のコンピュータは、広域ネットワーク上で上記ローカルエリアネットワークに結合する、項目４８に記載の遠隔監視フローサイトメータ。
（項目５０）
上記広域ネットワークは、インターネットを含む、項目４９に記載の遠隔監視フローサイトメータ。